(57)【要約】【課題】意外性及び多様性のある場所に関する情報をユーザに対して出力することができる場所情報出力装置、場所情報出力システム、場所情報出力方法、及びコンピュータプログラムを提供する。【解決手段】場所情報出力装置１は、複数の場所に係る場所情報を、所定の点数に関連付けておき、日々更新される運勢を表した数値が生まれ星座等の個人情報別に記録された占いサーバ装置３１から、ユーザの個人情報に応じた数値を取得し、取得した数値に基づいて点数を計算し、ユーザが使用する携帯電話機（情報処理装置）２の位置が含まれる地域内の場所に係る場所情報の内、計算した点数に関連付けられた場所情報を携帯電話機２へ送信する。これにより、ユーザが時間を過ごすために推奨される場所の情報が出力される。またユーザの個人情報の内容及び時間の経過で変化する点数に応じた場所が選択されるので、意外性及び多様性のある場所情報が出力される。【選択図】図１
2010086304.tif 000002
【特許請求の範囲】
【請求項１】
複数の場所に関する情報を出力する場所情報出力装置において、
複数の場所の夫々に関する場所情報を点数に関連付けて記憶する場所情報記憶手段と、
ユーザを識別するための識別情報を受け付ける手段と、
該手段が受け付けた識別情報により識別されるユーザの個人情報及び日時に応じて定まる点数を求める点数取得手段と、
該点数取得手段が求めた点数に関連付けて前記場所情報記憶手段で記憶してある場所情報を選択する場所情報選択手段と、
該場所情報選択手段が選択した場所情報を出力する手段と
を備えることを特徴とする場所情報出力装置。
【請求項２】
前記点数取得手段は、
時間の経過に伴って更新される運勢を表す数値が個人情報の内容別に記録された外部又は内部のデータベースから、前記識別情報により識別されるユーザの個人情報に関連付けられた数値を取得する手段と、
該手段が取得した数値に応じた点数を所定の計算方法に従って計算することによって、前記点数を求める手段とを有すること
を特徴とする請求項１に記載の場所情報出力装置。
【請求項３】
前記場所情報は、場所の種類、及び各場所を特定するための場所特定情報を含み、
特定の位置を示す位置情報を受け付ける位置情報受付手段を更に備え、
前記場所情報記憶手段は、
場所の種類を前記点数と対応付けて記憶してある種類記憶手段と、
場所の種類に関連付けて、各場所を特定するための場所特定情報を記憶してある手段とを有し、
前記場所情報選択手段は、
前記点数取得手段が求めた点数と対応付けて前記種類記憶手段で記憶してある場所の種類を選択する種類選択手段と、
前記位置情報受付手段が受け付けた位置情報が示す位置が含まれる地域内に含まれる場所を特定するための場所特定情報の内、前記種類選択手段が選択した場所の種類に関連付けられた場所特定情報を選択する手段とを有すること
を特徴とする請求項１又は２に記載の場所情報出力装置。
【請求項４】
地域別の天気を記録した外部又は内部のデータベースから、前記位置情報が示す位置が含まれる地域での天気を取得する天気取得手段を更に備え、
前記場所情報記憶手段は、天気別に場所情報を記憶してあり、
前記場所情報選択手段は、前記天気取得手段が取得した天気に関連付けられた場所情報の内から、前記点数取得手段が求めた点数と対応付けられた場所情報を選択する手段を有すること
を特徴とする請求項３に記載の場所情報出力装置。
【請求項５】
時刻を特定する手段を更に備え、
前記場所情報記憶手段は、時間帯別に場所情報を記憶してあり、
前記場所情報選択手段は、特定した時刻が含まれる時間帯に関連付けられた場所情報の内から、前記点数取得手段が求めた点数と対応付けられた場所情報を選択する手段を有すること
を特徴とする請求項１乃至４のいずれか一つに記載の場所情報出力装置。
【請求項６】
前記識別情報により識別されるユーザの個人情報から、前記ユーザの年齢を求める手段を更に備え、
前記場所情報記憶手段は、年齢層別に場所情報を記憶してあり、
前記場所情報選択手段は、求めた年齢が含まれる年齢層に関連付けられた場所情報の内から、前記点数取得手段が求めた点数と対応付けられた場所情報を選択する手段を有すること
を特徴とする請求項１乃至５のいずれか一つに記載の場所情報出力装置。
【請求項７】
各場所情報に関連付けて、特定の楽曲を示す楽曲情報を、楽曲の対象年齢別に記憶する手段と、
外部のカラオケシステムにおける楽曲の利用履歴から換算される換算年齢を記録した外部のデータベースから、前記識別情報により識別されるユーザに係る換算年齢を取得する手段と、
前記場所情報選択手段が選択した場所情報に関連付けて記憶してある楽曲情報の内、取得した換算年齢と同等の対象年齢に関連付けられた楽曲情報を取得する手段と、
該手段が取得した楽曲情報を出力する手段と
を更に備えることを特徴とする請求項１乃至６のいずれか一つに記載の場所情報出力装置。
【請求項８】
情報処理装置と、該情報処理装置に対して、複数の場所に関する情報を出力する場所情報出力装置とを備える場所情報出力システムにおいて、
前記情報処理装置は、
ユーザを識別するための識別情報を前記場所情報出力装置へ送信する手段を備え、
前記場所情報出力装置は、
複数の場所の夫々に関する場所情報を点数に関連付けて記憶してある場所情報記憶手段と、
受信した識別情報により識別されるユーザの個人情報及び日時に応じて定まる点数を求める点数取得手段と、
該点数取得手段が求めた点数に関連付けて前記場所情報記憶手段で記憶してある場所情報を選択する手段と、
該手段が選択した場所情報を前記情報処理装置へ送信する手段とを備え、
前記情報処理装置は、更に、
受信した場所情報を出力する手段を備えること
を特徴とする場所情報出力システム。
【請求項９】
情報処理装置と、該情報処理装置に対して、複数の場所に関する情報を出力する場所情報出力装置とを備える場所情報出力システムにおいて、
前記情報処理装置は、
ユーザを識別するための識別情報を前記場所情報出力装置へ送信する手段を備え、
前記場所情報出力装置は、
複数の場所の種類の夫々を点数に関連付けて記憶してある手段と、
場所の種類に関連付けて、各場所を特定するための場所特定情報を記憶してある手段と、
ユーザを識別するための識別情報に関連付けてユーザの個人情報を記憶してある手段と、
前記情報処理装置の位置を示す位置情報を受け付ける位置情報受付手段と、
時間の経過に伴って更新される運勢を表す数値が個人情報の内容別に記録された外部又は内部のデータベースから、前記情報処理装置から受信した識別情報に関連付けて記憶してある個人情報に相当する個人情報に関連付けて前記データベースに記録されてある数値を取得する手段と、
該手段が取得した数値に応じた点数を所定の計算方法に従って計算する手段と、
該手段が計算した点数に関連付けて記憶してある場所の種類を選択する種類選択手段と、
前記位置情報受付手段が受け付けた位置情報が示す位置が含まれる地域内に含まれる場所を特定するための場所特定情報の内、前記種類選択手段が選択した場所の種類に関連付けられた場所特定情報を選択する手段と、
選択した場所特定情報及び場所の種類を含む場所情報を前記情報処理装置へ送信する手段とを備え、
前記情報処理装置は、更に、
受信した場所情報を出力する手段を備えること
を特徴とする場所情報出力システム。
【請求項１０】
情報を受け付ける受付部、演算部及び記憶部を備えるコンピュータで、複数の場所に関する情報を出力する方法において、
記憶部で、複数の場所の夫々に関する場所情報を点数に関連付けて記憶してあり、
受付部で、ユーザを識別するための識別情報を受け付け、
演算部で、受け付けた識別情報により識別されるユーザの個人情報及び日時に応じて定まる点数を求め、
演算部で、求めた点数に関連付けて記憶部で記憶してある場所情報を選択し、
演算部で、選択した場所情報を出力すること
を特徴とする場所情報出力方法。
【請求項１１】
ユーザを識別するための識別情報を受け付けるコンピュータに、ユーザに対して複数の場所に関する情報を出力するための処理を実行させるコンピュータプログラムであって、
コンピュータに、
受け付けた識別情報により識別されるユーザの個人情報及び日時に応じて定まる点数を求めるステップと、
複数の場所の夫々に関する場所情報を点数に関連付けて記録してあるデータベースから、求めた点数に関連付けられた場所情報を選択するステップと
を実行させることを特徴とするコンピュータプログラム。
【発明の詳細な説明】
【技術分野】
【０００１】
本発明は、ユーザに対してお勧めの場所に関する情報を提供する場所情報出力装置、場所情報出力システム、場所情報出力方法、及びコンピュータプログラムに関する。
【背景技術】
【０００２】
現在、インターネット又は公衆回線網等の通信ネットワークの発達に伴い、娯楽施設又は観光地等の各種の場所に関する地図等の情報を通信ネットワークを介してユーザに提供する場所情報出力システムが発達している。ユーザは、各種の場所に関する情報を手軽に利用できるようになっている。特に、無線通信を利用して、携帯電話機又は小型ＰＣ（パーソナルコンピュータ）等の携帯型情報処理装置に対して情報を提供することにより、ユーザは、外出先でも各種の場所に関する情報を手軽に利用できる。また同様に、通信ネットワークを介してユーザに娯楽を提供するシステムも開発されている。特許文献１には、公衆電話を利用して占い等の娯楽を提供する技術が開示されている。特許文献１の技術では、日時に応じたユーザの運勢、又は公衆電話の利用状況等、日時の経過に伴って変化する情報に基づいて娯楽の内容が決定され、ユーザにとって意外性のある娯楽の提供が可能である。
【特許文献１】特開２００１−１３６２４３号公報
【発明の開示】
【発明が解決しようとする課題】
【０００３】
従来の場所情報出力システムでは、ユーザの目的地に関する情報を検索することにより、場所に関する情報の提供を行っていた。例えば、ユーザが携帯型情報処理装置を操作することにより、目的地の名称が入力され、入力された目的地の名称に基づいて情報が検索されていた。しかしながら、この方法では、ユーザが予め知っている場所についてしか情報が提供されないので、情報の提供範囲が限定され、提供される情報がユーザにとって意外性がなく、また多様性に乏しいという問題がある。また外出先等、ユーザに不案内な地域では、当該地域における各種の場所の情報をユーザが取得することが困難であるという問題がある。
【０００４】
本発明は、斯かる事情に鑑みてなされたものであって、その目的とするところは、日時に応じて変化する情報に対応した場所に関する情報を出力することにより、意外性及び多様性のある場所に関する情報をユーザに対して出力することができる場所情報出力装置、場所情報出力システム、場所情報出力方法、及びコンピュータプログラムを提供することにある。
【課題を解決するための手段】
【０００５】
本発明に係る場所情報出力装置は、複数の場所に関する情報を出力する場所情報出力装置において、複数の場所の夫々に関する場所情報を点数に関連付けて記憶する場所情報記憶手段と、ユーザを識別するための識別情報を受け付ける手段と、該手段が受け付けた識別情報により識別されるユーザの個人情報及び日時に応じて定まる点数を求める点数取得手段と、該点数取得手段が求めた点数に関連付けて前記場所情報記憶手段で記憶してある場所情報を選択する場所情報選択手段と、該場所情報選択手段が選択した場所情報を出力する手段とを備えることを特徴とする。
【０００６】
本発明に係る場所情報出力装置は、前記点数取得手段は、時間の経過に伴って更新される運勢を表す数値が個人情報の内容別に記録された外部又は内部のデータベースから、前記識別情報により識別されるユーザの個人情報に関連付けられた数値を取得する手段と、該手段が取得した数値に応じた点数を所定の計算方法に従って計算することによって、前記点数を求める手段とを有することを特徴とする。
【０００７】
本発明に係る場所情報出力装置は、前記場所情報は、場所の種類、及び各場所を特定するための場所特定情報を含み、特定の位置を示す位置情報を受け付ける位置情報受付手段を更に備え、前記場所情報記憶手段は、場所の種類を前記点数と対応付けて記憶してある種類記憶手段と、場所の種類に関連付けて、各場所を特定するための場所特定情報を記憶してある手段とを有し、前記場所情報選択手段は、前記点数取得手段が求めた点数と対応付けて前記種類記憶手段で記憶してある場所の種類を選択する種類選択手段と、前記位置情報受付手段が受け付けた位置情報が示す位置が含まれる地域内に含まれる場所を特定するための場所特定情報の内、前記種類選択手段が選択した場所の種類に関連付けられた場所特定情報を選択する手段とを有することを特徴とする。
【０００８】
本発明に係る場所情報出力装置は、地域別の天気を記録した外部又は内部のデータベースから、前記位置情報が示す位置が含まれる地域での天気を取得する天気取得手段を更に備え、前記場所情報記憶手段は、天気別に場所情報を記憶してあり、前記場所情報選択手段は、前記天気取得手段が取得した天気に関連付けられた場所情報の内から、前記点数取得手段が求めた点数と対応付けられた場所情報を選択する手段を有することを特徴とする。
【０００９】
本発明に係る場所情報出力装置は、時刻を特定する手段を更に備え、前記場所情報記憶手段は、時間帯別に場所情報を記憶してあり、前記場所情報選択手段は、特定した時刻が含まれる時間帯に関連付けられた場所情報の内から、前記点数取得手段が求めた点数と対応付けられた場所情報を選択する手段を有することを特徴とする。
【００１０】
本発明に係る場所情報出力装置は、前記識別情報により識別されるユーザの個人情報から、前記ユーザの年齢を求める手段を更に備え、前記場所情報記憶手段は、年齢層別に場所情報を記憶してあり、前記場所情報選択手段は、求めた年齢が含まれる年齢層に関連付けられた場所情報の内から、前記点数取得手段が求めた点数と対応付けられた場所情報を選択する手段を有することを特徴とする。
【００１１】
本発明に係る場所情報出力装置は、各場所情報に関連付けて、特定の楽曲を示す楽曲情報を、楽曲の対象年齢別に記憶する手段と、外部のカラオケシステムにおける楽曲の利用履歴から換算される換算年齢を記録した外部のデータベースから、前記識別情報により識別されるユーザに係る換算年齢を取得する手段と、前記場所情報選択手段が選択した場所情報に関連付けて記憶してある楽曲情報の内、取得した換算年齢と同等の対象年齢に関連付けられた楽曲情報を取得する手段と、該手段が取得した楽曲情報を出力する手段とを更に備えることを特徴とする。
【００１２】
本発明に係る場所情報出力システムは、情報処理装置と、該情報処理装置に対して、複数の場所に関する情報を出力する場所情報出力装置とを備える場所情報出力システムにおいて、前記情報処理装置は、ユーザを識別するための識別情報を前記場所情報出力装置へ送信する手段を備え、前記場所情報出力装置は、複数の場所の夫々に関する場所情報を点数に関連付けて記憶してある場所情報記憶手段と、受信した識別情報により識別されるユーザの個人情報及び日時に応じて定まる点数を求める点数取得手段と、該点数取得手段が求めた点数に関連付けて前記場所情報記憶手段で記憶してある場所情報を選択する手段と、該手段が選択した場所情報を前記情報処理装置へ送信する手段とを備え、前記情報処理装置は、更に、受信した場所情報を出力する手段を備えることを特徴とする。
【００１３】
本発明に係る場所情報出力システムは、情報処理装置と、該情報処理装置に対して、複数の場所に関する情報を出力する場所情報出力装置とを備える場所情報出力システムにおいて、前記情報処理装置は、ユーザを識別するための識別情報を前記場所情報出力装置へ送信する手段を備え、前記場所情報出力装置は、複数の場所の種類の夫々を点数に関連付けて記憶してある手段と、場所の種類に関連付けて、各場所を特定するための場所特定情報を記憶してある手段と、ユーザを識別するための識別情報に関連付けてユーザの個人情報を記憶してある手段と、前記情報処理装置の位置を示す位置情報を受け付ける位置情報受付手段と、時間の経過に伴って更新される運勢を表す数値が個人情報の内容別に記録された外部又は内部のデータベースから、前記情報処理装置から受信した識別情報に関連付けて記憶してある個人情報に相当する個人情報に関連付けて前記データベースに記録されてある数値を取得する手段と、該手段が取得した数値に応じた点数を所定の計算方法に従って計算する手段と、該手段が計算した点数に関連付けて記憶してある場所の種類を選択する種類選択手段と、前記位置情報受付手段が受け付けた位置情報が示す位置が含まれる地域内に含まれる場所を特定するための場所特定情報の内、前記種類選択手段が選択した場所の種類に関連付けられた場所特定情報を選択する手段と、選択した場所特定情報及び場所の種類を含む場所情報を前記情報処理装置へ送信する手段とを備え、前記情報処理装置は、更に、受信した場所情報を出力する手段を備えることを特徴とする。
【００１４】
本発明に係る場所情報出力方法は、情報を受け付ける受付部、演算部及び記憶部を備えるコンピュータで、複数の場所に関する情報を出力する方法において、記憶部で、複数の場所の夫々に関する場所情報を点数に関連付けて記憶してあり、受付部で、ユーザを識別するための識別情報を受け付け、演算部で、受け付けた識別情報により識別されるユーザの個人情報及び日時に応じて定まる点数を求め、演算部で、求めた点数に関連付けて記憶部で記憶してある場所情報を選択し、演算部で、選択した場所情報を出力することを特徴とする。
【００１５】
本発明に係るコンピュータプログラムは、ユーザを識別するための識別情報を受け付けるコンピュータに、ユーザに対して複数の場所に関する情報を出力するための処理を実行させるコンピュータプログラムであって、コンピュータに、受け付けた識別情報により識別されるユーザの個人情報及び日時に応じて定まる点数を求めるステップと、複数の場所の夫々に関する場所情報を点数に関連付けて記録してあるデータベースから、求めた点数に関連付けられた場所情報を選択するステップとを実行させることを特徴とする。
【００１６】
本発明においては、場所情報出力装置は、複数の場所に係る場所情報を点数に関連付けておき、携帯電話機等の情報処理装置からユーザの識別情報を受け付け、ユーザの個人情報に応じて定められ、また日時に応じて変化する点数を、ユーザの個人情報に基づいて求め、求めた点数に関連付けられた場所情報を選択し、選択した場所情報を情報処理装置へ送信する。これにより、場所情報出力装置は、ユーザが時間を過ごすための場所として推奨される場所の情報をユーザに対して出力する。
【００１７】
また本発明においては、場所情報出力装置は、毎日の星占いによる運勢等、時間の経過に伴って更新される運勢を表した数値が生まれ星座等の個人情報別に記録されたデータベースから、ユーザの個人情報に係る数値を取得し、取得した数値に基づいて点数を計算し、計算した点数に関連付けられた場所情報を選択する。
【００１８】
また本発明においては、場所情報出力装置は、場所の種類を点数と対応付けて記憶し、各場所を特定するための場所特定情報を場所の種類に関連づけて記憶してあり、ユーザの位置を示す位置情報を受け付け、求めた点数と対応付けてある場所の種類を選択し、ユーザの位置が含まれる地域内に存在する場所を特定する場所特定情報の内、選択した場所の種類に関連付けられた場所特定情報を選択し、場所の種類及び場所特定情報を含む場所情報を出力する。
【００１９】
また本発明においては、場所情報出力装置は、場所情報を天気別に記憶してあり、ユーザの位置が含まれる地域での天気に関連付けられた場所情報を選択することにより、ユーザが時間を過ごすための場所として、そのときの天気に適した場所を選択する。
【００２０】
また本発明においては、場所情報出力装置は、場所情報を時間帯別に記憶してあり、現在の時刻が含まれる時間帯に関連付けられた場所情報を選択することにより、ユーザが時間を過ごすための場所として、そのときの時刻に適した場所を選択する。
【００２１】
また本発明においては、場所情報出力装置は、場所情報を年齢層別に記憶してあり、ユーザの年齢が含まれる年齢層に関連付けられた場所情報を選択することにより、ユーザが時間を過ごすための場所として、ユーザの年齢に適した場所を選択する。
【００２２】
更に本発明においては、場所情報出力装置は、場所情報に関連付けた楽曲情報を対象年齢別に関連付けておき、ユーザが日ごろカラオケシステムで利用する楽曲の利用履歴に応じて定められる換算年齢を取得し、選択した場所情報に関連付けられた楽曲情報の内、換算年齢と同等の対象年齢に関連付けられた楽曲情報を選択し、選択した楽曲情報を情報処理装置へ送信する。これにより、ユーザが時間を過ごすための場所に関する情報に加えて、選択された場所に適した楽曲の情報がユーザに対して出力される。
【発明の効果】
【００２３】
本発明にあっては、ユーザの個人情報の内容に応じ、また時間の経過に応じて変化する点数に基づいて場所を選択することによって、推奨される場所が状況に応じて変化し、またユーザが知らない場所が選択されることもあるので、ユーザにとって意外性のある場所情報を提供することができ、また多様性に富んだ場所情報を提供することが可能となる。
【００２４】
また本発明にあっては、ユーザが時間を過ごすための場所として、ユーザの位置、天気、時刻又はユーザの年齢等に適した場所が選択されるので、ユーザにとって最適な場所を推奨することが可能となる。
【００２５】
更に本発明にあっては、ユーザが日ごろ利用する楽曲に応じて定められる換算年齢に応じた楽曲の楽曲情報が取得されるので、ユーザにとって適切な楽曲を紹介することができる。また各場所での雰囲気に適した楽曲の楽曲情報を場所情報に関連付けておくことにより、ユーザは、各場所で時間を過ごす際にその場所に適した楽曲を利用するという娯楽を享受することができる等、本発明は優れた効果を奏する。
【発明を実施するための最良の形態】
【００２６】
以下本発明をその実施の形態を示す図面に基づき具体的に説明する。
（実施の形態１）
図１は、本発明の実施の形態１に係る場所情報出力システムの概要を示す概念図である。図中１は、本発明の場所情報出力装置であり、インターネット等の通信ネットワークＮに接続されている。場所情報出力装置１は、通信ネットワークＮを介して、ユーザが時間を過ごすための場所に関する情報を提供するウェブサーバ装置としての機能を備える。図中２は、ユーザによって使用される携帯電話機（情報処理装置）であり、無線通信を用いて通信ネットワークＮに接続が可能な構成となっている。通常、本発明の場所情報出力システムには、複数のユーザによって使用される複数の携帯電話機２が含まれる。通信ネットワークＮには、更に、通信ネットワークＮを介して占いのサービスを実行する占いサーバ装置３１と、通信ネットワークＮを介して各地の天気の情報を提供する天気情報出力装置３２と、娯楽施設又は観光地等の各種の場所に関する地図等の詳細な情報を提供するウェブサーバ装置４とが接続されている。携帯電話機２は、通信ネットワークＮを介して場所情報出力装置１及びウェブサーバ装置４との間で通信が可能であり、また場所情報出力装置１は、通信ネットワークＮを介して占いサーバ装置３１及び天気情報出力装置３２との間で通信が可能な構成となっている。
【００２７】
図２は、実施の形態１に係る携帯電話機２の内部構成例を示すブロック図である。携帯電話機２は、演算を行うＣＰＵ２１と、演算に伴う一時的なデータを記憶するＲＡＭ２２と、携帯電話機２の制御プログラムを記憶する記憶部２３とを備えている。記憶部２３は、不揮発性の半導体メモリ等の不揮発性の情報記憶手段で構成されている。ＣＰＵ２１は、記憶部２３が記憶する制御プログラムに従って携帯電話機２の動作の制御を行う。また携帯電話機２は、テンキー又はタッチパッド等の入力部２４と、液晶ディスプレイ又はＥＬ（Electroluminescence ）ディスプレイ等の表示部２５とを備えている。入力部２４は、ユーザの操作によって各種の指示を受け付け、表示部２５は、携帯電話機２の動作に伴って必要な情報を表示する。
【００２８】
また携帯電話機２は、通信ネットワークＮに対して無線通信を用いて情報の送受信を行う通信部２６を備えている。また携帯電話機２は、ＧＰＳ（Global Positioning System ）を用いて携帯電話機２の位置を検出する処理を行うＧＰＳ処理部２７を備えている。ＧＰＳ処理部２７は、図示しないＧＰＳ衛星が送信するＧＰＳ信号を受信し、受信したＧＰＳ信号に基づいて携帯電話機２の位置を検出する処理を行う。なお、ＧＰＳ処理部２７は本発明に係る情報処理装置に必ずしも必要ではなく、携帯電話機２は、後述するように、ＧＰＳ処理部２７を備えていない構成であっても本発明における情報処理装置として機能することは可能である。
【００２９】
図３は、本発明の実施の形態１に係る場所情報出力装置１の内部構成を示すブロック図である。場所情報出力装置１は、汎用コンピュータを用いて構成されており、演算を行うＣＰＵ（演算部）１１と、演算に伴って発生する一時的な情報を記憶するＲＡＭ１２と、光ディスク等の記録媒体Ｄから情報を読み取るＣＤ−ＲＯＭドライブ等のドライブ部１３と、ハードディスク等の記憶部１４とを備えている。ＣＰＵ１１は、記録媒体Ｄから本発明のコンピュータプログラム１０をドライブ部１３に読み取らせ、読み取ったコンピュータプログラム１０を記憶部１４に記憶させる。ＣＰＵ１１は、必要に応じてコンピュータプログラム１０を記憶部１４からＲＡＭ１２へロードし、ロードしたコンピュータプログラム１０に従って場所情報出力装置１に必要な処理を実行する。また場所情報出力装置１は、時刻を計測する計時部１５と、通信ネットワークＮに接続された通信部（受付部）１６とを備えている。通信部１６は、通信ネットワークＮを介して、携帯電話機２、占いサーバ装置３１及び天気情報出力装置３２との間で情報を送受信する。なお、コンピュータプログラム１０は、図示しないサーバ装置から通信部１６を用いてダウンロードされる形態であってもよい。
【００３０】
また記憶部１４は、場所情報出力装置１にアクセスした携帯電話機２にウェブページを表示させるためのウェブページ用データ１４１を記憶している。ウェブページ用データ１４１は、例えばｈｔｍｌ（HyperText Markup Language ）で記述されたテキストデータである。また記憶部１４は、ユーザの個人情報を記録したユーザＤＢ１４２、場所のジャンル（場所の種類）を記録した場所ジャンルＤＢ１４３、具体的な場所を特定するための情報を記録した場所特定情報ＤＢ１４４、及び携帯電話機２の位置に対応する地域を特定するための情報を記録した地域ＤＢ１４５を記憶している。
【００３１】
図４は、ユーザＤＢ１４２の内容例を示す概念図である。ユーザを識別するための識別情報であるユーザＩＤに関連付けて、生年月日、血液型及び年齢等のユーザの個人情報が記録されている。ユーザの個人情報は、本発明の場所情報出力システムのユーザとして登録されたユーザ毎に記録されている。
【００３２】
図５は、場所ジャンルＤＢ１４３の内容例を示す概念図である。獲得点数の具体的な値に対応付けて、ユーザが時間を過ごすための場所のジャンルが記録されている。ここで、獲得点数とは、ユーザの個人情報及び日時に応じて変化する点数である。例えば、０〜１００の獲得点数に対し、場所のジャンルとして自宅が対応付けられ、１０１〜２００の獲得点数に対し、場所のジャンルとして公園が対応付けられている。また各獲得点数に対応付けられた場所のジャンルは、天気別に記録されている。例えば、晴れと雨との天気に対して、互いに異なった場所のジャンルが関連付けられ、晴れの天気には屋外を含むジャンルが関連付けられるのに対し、雨の天気に対しては、主に屋内のジャンルが関連付けられている。また場所のジャンルは、一日の時間帯別に記録されている。例えば、午前中の時間帯には、遊園地等の利用に長時間が必要な場所のジャンルが関連付けられ、昼以降の時間帯には、利用が短時間で済むような場所のジャンルが関連付けられている。更に場所のジャンルは、ユーザの年齢層別に記録されている。ユーザの年齢に応じて人気のある場所のジャンルは異なるので、年齢層に対応した場所のジャンルが記録されている。
【００３３】
図６は、場所特定情報ＤＢ１４４の内容例を示す概念図である。地域Ａ又は地域Ｂ等の具体的な地域別に、場所のジャンルに関連付けて、地域内に含まれる具体的な場所の名称と、その場所に関する地図又は営業時間等の詳細な情報を参照するためのＵＲＬ（Uniform Resource Locator）とが記録されている。名称及びＵＲＬは、本発明に係る場所特定情報に相当する。ＵＲＬは、例えば、ウェブサーバ装置４により提供される各場所に関するウェブサイトを指し示している。また各場所に関する地図又は営業時間等の詳細な情報を記憶部１４で記憶しておき、ＵＲＬは各場所に関する詳細な情報を指し示していてもよい。また、地域Ａ又は地域Ｂ等の具体的な地域は、例えば行政区画に対応して設定してあってもよく、その他の任意の方法で地域を分類することによって設定してあってもよい。
【００３４】
地域ＤＢ１４５は、場所特定情報ＤＢ１４４に記録された各地域と携帯電話機２の位置とを対応付けるための情報を記録している。例えば、場所特定情報ＤＢ１４４に記録されたものと同様の地域Ａ又は地域Ｂ等の具体的な地域別に、各地域に含まれる経度及び緯度の範囲が記録されている。
【００３５】
占いサーバ装置３１は、個人情報の内容に対応付けて個人の運勢を示す数値を記憶している。図７は、占いサーバ装置３１の記憶内容例を示す概念図である。本実施例では、占いサーバ装置３１は、個人の生まれ星座及び血液型別に、個人の運勢を示す数値である運勢点を記憶することとする。図７（ａ）は各星座に対応付けられた運勢点の例を示し、図７（ｂ）は各血液型に対応付けられた運勢点の例を示す。占いサーバ装置３１の記憶内容は、例えば一日に一度等、時間の経過に伴って更新される。従って、ユーザの個人情報に対応付けられた運勢点は、日時に応じて変化する。
【００３６】
天気情報出力装置３２は、各地域での天気の情報を記憶している。例えば、天気情報出力装置３２は、場所特定情報ＤＢ１４４に記録されたものと同様の地域Ａ又は地域Ｂ等の具体的な地域別に、当該地域での天気を示す情報を記憶している。天気情報出力装置３２の記憶内容は、時間の経過及び天気の変化に伴って、随時更新される。
【００３７】
次に、以上の構成でなる本発明の場所情報出力システムの動作を説明する。図８及び図９は、本発明の場所情報出力システムが実行する処理の手順を示すフローチャートである。場所情報出力装置１のＣＰＵ１１は、ＲＡＭ１２にロードしたコンピュータプログラム１０に従って、以下の処理を実行する。携帯電話機２は、ユーザが入力部２４を操作して情報提供用のウェブページを示すＵＲＬを入力する等、携帯電話機２を使用するユーザからの指示に応じて、通信部２６から、通信ネットワークＮを介して場所情報出力装置１へアクセス要求を送信する（Ｓ１０１）。場所情報出力装置１は、携帯電話機２からのアクセス要求を通信部１６で受信する（Ｓ１０２）。ＣＰＵ１１は、記憶部１４が記憶するウェブページ用データ１４１に含まれるログイン用の情報を、通信部１６に、通信ネットワークＮを介してアクセス要求の送信元の携帯電話機２へ送信させる（Ｓ１０３）。携帯電話機２は、場所情報出力装置１からのログイン用の情報を通信部２６で受信し（Ｓ１０４）、ＣＰＵ２１は、受信した情報に基づいて生成したログイン画面を表示部２５に表示させる（Ｓ１０５）。
【００３８】
図１０は、ログイン画面の例を示す模式図である。ユーザＩＤを入力するための入力領域が表示され、更に、生年月日及び血液型等の個人情報を入力するための入力領域が表示されている。ユーザＩＤとしては、例えばユーザの電子メールアドレス等が利用される。個人情報が既に場所情報出力装置１に登録されているユーザの場合は、ユーザＩＤのみを入力すればよい。また新規のユーザの場合は、ユーザＩＤの他に、個人情報を入力する必要がある。ＣＰＵ２１は、図１０に示すごときログイン画面を利用して、ユーザＩＤ及び個人情報を入力部２４で受け付ける。またＧＰＳ処理部２７は、携帯電話機２の位置を検出し、検出した位置を示す位置情報を生成する。
【００３９】
携帯電話機２のＣＰＵ２１は、受け付けたユーザＩＤ及びＧＰＳ処理部２７が生成した位置情報を含む情報を、通信部２６に場所情報出力装置１へ送信させる（Ｓ１０６）。ユーザが新規のユーザである場合は、個人情報をも含む情報を送信する。場所情報出力装置１は、携帯電話機２からのユーザＩＤ及び位置情報を含む情報を通信部１６で受信する（Ｓ１０７）。
【００４０】
なお、本実施例では、携帯電話機２で位置情報を生成して送信する例を示しているが、本発明では、その他の方法で位置情報を生成する処理を行ってもよい。例えば、通信部２６が行う無線通信で利用する基地局の位置又は通信部２６が無線通信で通信可能なエリアに基づいて、通信ネットワークＮに接続された図示しない所定のサーバ装置が、携帯電話機２の位置を検出し、検出した位置を示す位置情報を場所情報出力装置１へ送信し、場所情報出力装置１は、前記サーバ装置から送信された位置情報を受信する処理を行ってもよい。場所情報出力システムがこのような処理を実行することによって、ＧＰＳ処理部２７を備えていない携帯電話機２であっても、本発明に係る情報処理装置として機能することが可能となる。
【００４１】
場所情報出力装置１のＣＰＵ１１は、次に、受信したユーザＩＤが新規ユーザのユーザＩＤであるか否かを判定する（Ｓ１０８）。ステップＳ１０８では、例えば、ＣＰＵ１１は、ユーザＤＢ１４２に記録されているユーザＩＤに受信したユーザＩＤが含まれているか否かを判定することによって、受信したユーザＩＤが新規ユーザのユーザＩＤであるか否かを判定する。また、ユーザＩＤが新規ユーザのユーザＩＤであることを示す情報を携帯電話機２が送信し、この情報の有無に応じて新規ユーザのユーザＩＤであるか否かをＣＰＵ１１が判定してもよい。またＣＰＵ１１は、受信した情報に個人情報が含まれているか否かに応じて新規ユーザのユーザＩＤであるか否かを判定してもよい。受信したユーザＩＤが新規ユーザのユーザＩＤである場合は（Ｓ１０８：ＹＥＳ）、ＣＰＵ１１は、受信したユーザＩＤ及び個人情報を、ユーザＤＢ１４２に記録するように記憶部１４に記憶させる（Ｓ１０９）。
【００４２】
受信したユーザＩＤが既に登録されているユーザＩＤである場合（Ｓ１０８：ＮＯ）、又はステップＳ１０９が終了した場合は、ＣＰＵ１１は、受信したユーザＩＤに関連付けてユーザＤＢ１４２に記録してある個人情報に基づき、ユーザの星座、年齢及び血液型を取得する（Ｓ１１０）。ステップＳ１１０では、ＣＰＵ１１は、星座又は年齢がユーザＤＢ１４２に記録されている場合はユーザＤＢ１４２から星座又は年齢を読み出し、星座又は年齢が記録されていない場合は、ユーザＤＢ１４２から読み出した生年月日に基づいて星座又は年齢を求める処理を行う。またＣＰＵ１１は、ユーザＤＢ１４２から血液型を読み出す処理を行う。図４に個人情報を示したユーザの場合は、星座はしし座、血液型はＢ型となる。
【００４３】
ＣＰＵ１１は、次に、通信部１６を用いて占いサーバ装置３１にアクセスし、取得した星座及び血液型に対応付けて記憶されている運勢点を占いサーバ装置３１から読み出すことにより、星座の運勢点及び血液型の運勢点を取得する（Ｓ１１１）。図７に示した例に基づけば、図４に個人情報を示したユーザの場合は、星座の運勢点は７０、血液型の運勢点は３となる。なお、場所情報出力装置１は、星座及び血液型に応じた運勢点を定期的に占いサーバ装置３１から読み込んで記憶部１４に記憶しておき、ＣＰＵ１１は、ステップＳ１１１で、記憶部１４に記憶してある運勢点を読み出す処理を行ってもよい。また本実施例では、星座及び血液型に応じた運勢点を取得する例を示しているが、これは一例であり、本発明では、その他の個人情報の内容に応じて定められる数値を用いてもよい。例えば、生年月日及び日時に基づいて数値が計算されるバイオリズムの計算結果を用いてもよい。また例えば、四柱推命により得られる運勢点、又は姓名判定により得られる運勢点等の数値を用いてもよい。
【００４４】
ＣＰＵ１１は、次に、取得した星座の運勢点及び血液型の運勢点から、（獲得点数）＝（星座の運勢点）×（血液型の運勢点）の計算方法により、獲得点数を計算する（Ｓ１１２）。図４に個人情報を示したユーザの場合は、獲得点数は、２１０となる。なお、ＣＰＵ１１は、他の計算式に運勢点を代入するか、又は所定の関数に運勢点を代入する等、その他の計算方法により獲得点数を計算してもよい。ＣＰＵ１１は、次に、受信した位置情報に基づいて、携帯電話機２の位置が含まれる地域を特定する処理を行う（Ｓ１１３）。ステップＳ１１３では、ＣＰＵ１１は、地域ＤＢ１４５に記録された情報と位置情報とを比較することにより、地域を特定する。例えば、地域ＤＢ１４５に、各地域に含まれる経度及び緯度の範囲が記録されており、位置情報が経度及び緯度を示している場合に、地域ＤＢ１４５に情報が記録された複数の地域の中から、位置情報が示す経度及び緯度が含まれる地域を特定する。
【００４５】
ＣＰＵ１１は、次に、通信部１６を用いて天気情報出力装置３２にアクセスし、ステップＳ１１３で特定した地域に関連付けられた天気情報を読み出すことにより、特定した地域での天気を取得する（Ｓ１１４）。なお、場所情報出力装置１は、天気情報を定期的に天気情報出力装置３２から読み込んで記憶部１４に記憶しておき、ＣＰＵ１１は、ステップＳ１１４で、記憶部１４に記憶してある天気情報を読み出す処理を行ってもよい。ＣＰＵ１１は、計時部１５が計時する時刻を計時部１５から取得することによって、現在の時刻を特定する（Ｓ１１５）。なお、ＣＰＵ１１は、通信部１６を用いて通信ネットワークＮを介して時刻を取得することによって時刻を特定する処理を行ってもよい。場所情報出力装置１は、ＣＰＵ１１が通信ネットワークＮを介して時刻を取得する処理を行う場合は、計時部１５を備えていない形態であってもよい。
【００４６】
ＣＰＵ１１は、次に、記憶部１４が記憶する場所ジャンルＤＢ１４３を参照し、場所ジャンルＤＢ１４３に記録された場所のジャンルの内、ユーザの年齢を含む年齢層、現在の時刻を含む時間帯、取得した天気、及び獲得点数に関連付けられた場所のジャンルを選択する（Ｓ１１６）。図５に示した例に基づけば、図４に個人情報を示したユーザの場合は、年齢層が１０代で獲得点数が２１０であるので、時間帯が午前中で天気が晴れであれば、場所のジャンルとしてゲームセンターが選択される。
【００４７】
ＣＰＵ１１は、次に、記憶部１４が記憶する場所特定情報ＤＢ１４４を参照し、場所特定情報ＤＢ１４４に記録された場所特定情報の内、特定した地域及び選択した場所のジャンルに関連づけられた場所特定情報を選択する（Ｓ１１７）。ＣＰＵ１１が選択する場所特定情報は、図６に示す如き、具体的な場所の名称、及びその場所に関するＵＲＬである。図６に示した例に基づけば、図４に個人情報を示したユーザの場合は、携帯電話機２の位置が地域Ａに含まれるのであれば、具体的なゲームセンターの名称「ゲームランド○○」と、このゲームセンターに関するＵＲＬが得られる。ＣＰＵ１１は、次に、選択した場所のジャンル及び場所特定情報を含む場所情報を、通信部１６に、携帯電話機２へ送信させる（Ｓ１１８）。なお、場所特定情報ＤＢ１４４は、場所特定情報として、ＵＲＬではなく、場所に係る地図等の詳細な情報を直接に記録しており、場所情報出力装置１は、この詳細な情報を含む場所情報を携帯電話機２へ送信してもよい。
【００４８】
携帯電話機２は、場所情報出力装置１からの場所情報を通信部２６で受信し（Ｓ１１９）、ＣＰＵ２１は、受信した場所情報を表示部２５に表示させる（Ｓ１２０）。図１１は、場所情報の表示例を示す模式図である。ユーザが時間を過ごすための推奨される場所として、受信した場所のジャンルである「ゲームセンター」が表示されており、携帯電話機２の付近に存在する具体的な場所の名称として、「ゲームランド○○」が表示されている。更に、表示画面には、受信したＵＲＬを利用したリンクが設定されており、携帯電話機２は、リンクを用いて特定のウェブページを表示部２５に表示させることにより、推奨される場所の地図又は営業時間等の詳細な情報を取得することが可能である。ステップＳ１２０が終了した後は、ＣＰＵ２１は、処理を終了する。
【００４９】
以上詳述した如く、場所情報出力装置１は、複数の場所に係る場所情報を、所定の獲得点数に関連付けておき、日々更新されるユーザの運勢に応じて変化する獲得点数を求め、求めた獲得点数に関連付けられた場所情報を携帯電話機２へ送信する。これにより、本発明の場所情報出力システムは、ユーザが時間を過ごすための場所として推奨される場所に関する情報をユーザに対して提供する。ユーザの個人情報の内容に応じ、また時間の経過に応じて変化する獲得点数に基づいて場所を選択することによって、推奨される場所が状況に応じて変化し、またユーザが知らない場所が選択されることもあるので、ユーザにとって意外性のある場所情報を提供することができ、また多様性に富んだ場所情報を提供することが可能となる。
【００５０】
なお、本実施の形態においては、獲得点数、天気、時間帯及び年齢層等が場所のジャンルに関連付けられている形態を示したが、本発明は、これに限るものではなく、獲得点数、天気、時間帯及び年齢層等から最終的に具体的な場所が特定できるような形態であれば、その他の方法で各情報を関連付けて記憶している形態であってもよい。例えば、獲得点数、天気、時間帯、年齢層及び地域が直接に場所特定情報に関連付けられてあってもよい。また本実施の形態においては、地域Ａ又は地域Ｂ等の具体的な地域をあらかじめ設定しておき、携帯電話機２の位置が含まれる地域を特定することによって携帯電話機２の近辺に存在する場所を特定する形態を示したが、本発明は、その他の方法で具体的な場所を特定する形態であってもよい。例えば、本発明は、各場所特定情報として、各場所の位置を示す位置情報を記憶しておき、携帯電話機２の位置から所定距離以内に存在する具体的な場所を特定する形態であってもよい。
【００５１】
また本実施の形態においては、本発明における情報処理装置として携帯電話機の例を示したが、情報処理装置の形態はこれに限るものではなく、ＰＤＡ又は小型ＰＣ等、通信手段を備え、使用者が携帯可能なその他の情報処理装置であってもよい。
【００５２】
（実施の形態２）
実施の形態２においては、ユーザが時間を過ごすための場所に関する情報に加えて、選択された場所に適した楽曲の情報を提供する形態を示す。図１２は、本発明の実施の形態２に係る場所情報出力システムの概要を示す概念図である。通信ネットワークＮには、外部のカラオケシステムにおいて利用された楽曲の情報を記憶するカラオケ情報記憶装置３３が接続されている。場所情報出力システムのその他の構成は、実施の形態１と同様であり、対応する部分に同符号を付してその説明を省略する。
【００５３】
図１３は、実施の形態２に係る携帯電話機２の内部構成例を示すブロック図である。携帯電話機２は、スピーカ又は図示しないヘッドホン等を用いて音声を出力する音声出力部２８を備える。携帯電話機２のその他の構成は、実施の形態１と同様であり、対応する部分に同符号を付してその説明を省略する。図１４は、本発明の実施の形態２に係る場所情報出力装置１の内部構成を示すブロック図である。場所情報出力装置１の内部構成は、実施の形態１と同様であり、対応する部分に同符号を付してその説明を省略する。また記憶部１４は、実施の形態１と同様のデータに加えて、各場所に適した楽曲の情報を記録した楽曲情報ＤＢ１４６を記憶している。
【００５４】
図１５は、楽曲情報ＤＢ１４６の内容例を示す概念図である。公園又はゲームセンター等の場所のジャンルに関連付けて、複数のうた年齢が記録されている。うた年齢は、ユーザが外部のカラオケシステムにおいて利用した楽曲の履歴に基づいて換算された換算年齢である。カラオケシステムにおいて利用される楽曲には、予め対象年齢が定められており、ユーザが過去に利用した楽曲の対象年齢に基づき、例えば対象年齢を平均する等の方法により、うた年齢が算出される。対象年齢が高年齢である楽曲をカラオケシステムで利用すれば、ユーザのうた年齢はより高年齢となり、対象年齢が低年齢である楽曲を利用すれば、うた年齢はより低年齢となる。ユーザのうた年齢は、カラオケ情報記憶装置３３がユーザＩＤに関連付けて記憶している。場所情報出力装置１は、ユーザＩＤに関連付けられているうた年齢をカラオケ情報記憶装置３３から読み出すことにより、ユーザのうた年齢を取得することができる。場所情報出力装置１がカラオケ情報記憶装置３３から取得するうた年齢は、本発明における換算年齢に相当する。また楽曲情報ＤＢ１４６で場所のジャンルに関連付けられているうた年齢は、本発明における対象年齢に対応する。
【００５５】
更に、楽曲情報ＤＢ１４６では、夫々のうた年齢に関連付けて、具体的な楽曲名と、その楽曲の演奏データを参照するためのＵＲＬとが記録されている。楽曲名及びＵＲＬは、本発明に係る楽曲情報に相当する。ＵＲＬは、例えば、通信ネットワークＮに接続された図示しないサーバ装置に記憶されている各楽曲のストリーミング用の演奏データを指し示している。
【００５６】
次に、実施の形態２に係る場所情報出力システムの動作を説明する。場所情報出力システムは、本実施の形態においても、図８及び図９のフローチャートに示す実施の形態１と同様の処理を行うことにより、ユーザに対して場所情報を提供する処理を行う。更に場所情報出力システムは、場所情報を提供する処理に引き続いて、選択された場所に適した楽曲の情報を提供する処理を行う。図１６は、本発明の場所情報出力システムが楽曲情報を提供する処理の手順を示すフローチャートである。場所情報出力装置１のＣＰＵ１１は、ＲＡＭ１２にロードしたコンピュータプログラム１０に従って、以下の処理を実行する。
【００５７】
本発明により提供された場所情報を確認したユーザは、場所に適した楽曲を希望する場合に、携帯電話機２の入力部２４を操作することにより、楽曲情報取得の指示を入力する。携帯電話機２のＣＰＵ２１は、入力部２４で楽曲情報取得の指示を受け付けた場合に、通信部２６から、通信ネットワークＮを介して場所情報出力装置１へ楽曲情報の要求を送信する（Ｓ２１）。ステップＳ２１では、ユーザのユーザＩＤを再度送信してもよい。場所情報出力装置１は、携帯電話機２からの楽曲情報の要求を通信部１６で受信する（Ｓ２２）。場所情報出力装置１のＣＰＵ１１は、通信部１６を用いてカラオケ情報記憶装置３３にアクセスし、ユーザＩＤに関連付けて記憶されているうた年齢をカラオケ情報記憶装置３３から読み出すことにより、ユーザのうた年齢を取得する（Ｓ２３）。なお、場所情報出力装置１は、ユーザＩＤに関連付けられたうた年齢を定期的にカラオケ情報記憶装置３３から読み込んで記憶部１４に記憶しておき、ＣＰＵ１１は、ステップＳ２３で、記憶部１４に記憶してあるうた年齢を読み出す処理を行ってもよい。
【００５８】
ＣＰＵ１１は、次に、記憶部１４が記憶する楽曲情報ＤＢ１４６を参照し、ステップＳ１１６で取得した場所のジャンル、及びステップＳ２３で取得したうた年齢と同等のうた年齢に関連付けられた楽曲情報を選択する（Ｓ２４）。ＣＰＵ１１が選択する楽曲情報は、図１５に示す如き、具体的な楽曲名、及びその楽曲に関するＵＲＬである。ＣＰＵ１１は、次に、選択した楽曲情報を、通信部１６に、携帯電話機２へ送信させる（Ｓ２５）。
【００５９】
携帯電話機２は、場所情報出力装置１からの楽曲情報を通信部２６で受信し（Ｓ２６）、ＣＰＵ２１は、受信した楽曲情報を表示部２５に表示させる（Ｓ２７）。例えば、表示部２５は、ユーザが時間を過ごすための推奨される場所の名称と並べて、楽曲名を表示し、受信したＵＲＬを利用したリンクを表示画面上に設定する。携帯電話機２は、リンクを用いて楽曲のストリーミング用の演奏データにアクセスし、ＣＰＵ２１は、演奏データに基づいて音声出力部２８に楽曲の音声を出力させることができる。ステップＳ２７が終了した後は、ＣＰＵ２１は、処理を終了する。
【００６０】
以上詳述した如く、場所情報出力装置１は、楽曲情報を場所のジャンル及びうた年齢に関連付けておき、ユーザのうた年齢を求め、選択された場所のジャンル及びユーザのうた年齢に関連付けられた楽曲情報を携帯電話機２へ送信する。これにより、本発明の場所情報出力システムは、ユーザが時間を過ごすための場所に関する情報に加えて、選択された場所に適した楽曲の情報をユーザに対して提供する。ユーザの実年齢に応じた楽曲ではなく、ユーザが日ごろ利用する楽曲に応じて定められるうた年齢に応じた楽曲の楽曲情報が取得されるので、ユーザにとって適切な楽曲を紹介することができる。また各場所での雰囲気に適した楽曲の楽曲情報を場所のジャンルに関連付けておくことにより、ユーザは、各場所で時間を過ごす際にその場所に適した楽曲を利用するという娯楽を享受することができる。また、楽曲情報ＤＢ１４６で記録する楽曲情報を定期的に更新することにより、ユーザに飽きさせない娯楽を提供することができる。
【００６１】
なお、本実施の形態においては、楽曲情報を場所のジャンルに関連付けておく形態を示したが、これに限るものではなく、本発明は、各場所特定情報に楽曲情報を関連付けておき、選択された場所特定情報に関連付けられた楽曲情報を選択する形態であってもよい。また、本実施の形態においては、うた年齢に基づいて場所に適した楽曲を選択する形態を示したが、これに限るものではなく、本発明は、実年齢に基づいて場所に適した楽曲を選択する形態であってもよい。また本発明は、楽曲情報に所定の数値を関連付けておき、うた年齢及び実年齢の平均値に関連づけられた楽曲情報を選択する等、うた年齢及び実年齢の両方に基づいた数値を計算し、計算した数値に関連づけられた楽曲情報を選択する処理を行ってもよい。
【図面の簡単な説明】
【００６２】
【図１】本発明の実施の形態１に係る場所情報出力システムの概要を示す概念図である。
【図２】実施の形態１に係る携帯電話機の内部構成例を示すブロック図である。
【図３】本発明の実施の形態１に係る場所情報出力装置の内部構成を示すブロック図である。
【図４】ユーザＤＢの内容例を示す概念図である。
【図５】場所ジャンルＤＢの内容例を示す概念図である。
【図６】場所特定情報ＤＢの内容例を示す概念図である。
【図７】占いサーバ装置の記憶内容例を示す概念図である。
【図８】本発明の場所情報出力システムが実行する処理の手順を示すフローチャートである。
【図９】本発明の場所情報出力システムが実行する処理の手順を示すフローチャートである。
【図１０】ログイン画面の例を示す模式図である。
【図１１】場所情報の表示例を示す模式図である。
【図１２】本発明の実施の形態２に係る場所情報出力システムの概要を示す概念図である。
【図１３】実施の形態２に係る携帯電話機の内部構成例を示すブロック図である。
【図１４】本発明の実施の形態２に係る場所情報出力装置の内部構成を示すブロック図である。
【図１５】楽曲情報ＤＢの内容例を示す概念図である。
【図１６】本発明の場所情報出力システムが楽曲情報を提供する処理の手順を示すフローチャートである。
【符号の説明】
【００６３】
１  場所情報出力装置
１０  コンピュータプログラム
１１  ＣＰＵ
１４  記憶部
１５  計時部
１６  通信部
２  携帯電話機（情報処理装置）
２５  表示部
２６  通信部
３１  占いサーバ装置
３２  天気情報出力装置
３３  カラオケ情報記憶装置
Ｄ  記録媒体
Ｎ  通信ネットワーク
【図１】
2010086304.tif 000003
【図２】
2010086304.tif 000004
【図３】
2010086304.tif 000005
【図４】
2010086304.tif 000006
【図５】
2010086304.tif 000007
【図６】
2010086304.tif 000008
【図７】
2010086304.tif 000009
【図８】
2010086304.tif 000010
【図９】
2010086304.tif 000011
【図１０】
2010086304.tif 000012
【図１１】
2010086304.tif 000013
【図１２】
2010086304.tif 000014
【図１３】
2010086304.tif 000015
【図１４】
2010086304.tif 000016
【図１５】
2010086304.tif 000017
【図１６】
2010086304.tif 000018